(57)【要約】【課題】正面扉外から真空遮断器を接続位置、断路位置に容易に移動し得る出入装置を提供する。【解決手段】主回路を開閉する遮断部５と、遮断部５を開閉操作する操作機構部３と、操作機構部３を固定したベース板２とを有する真空遮断器部１ａと、遮断部５に設けた接触子６、７が接離するとともに、仕切板１３に貫通固定された主回路断路部１４、１５と、仕切板１３が固定されるとともに、ベース板２が移動自在に移動する床板１２とを有する主回路ユニット部１ｂとで構成され、床板１２には、ハンドル１１を嵌め込む端部９ａとねじ部９ｂとで構成される出入ねじ棒９を回転自在に固定する固定架台１０を固定し、ベース板２には、ねじ部９ｂが螺合する出入ねじ受け１６を固定したことを特徴とする。【選択図】  図１
2012130199.tif 000002
【特許請求の範囲】
【請求項１】
主回路を開閉する遮断部と、
前記遮断部を開閉操作する操作機構部と、
前記操作機構部を固定したベース板とを有する真空遮断器部と、
前記遮断部に設けた接触子が接離するとともに、仕切板に貫通固定された主回路断路部と、
前記仕切板が固定されるとともに、前記ベース板が移動自在に移動する床板とを有する主回路ユニット部とで構成され、
前記床板には、ハンドルを嵌め込む端部とねじ部とで構成される出入ねじ棒を回転自在に固定する固定架台を固定し、
前記ベース板には、前記ねじ部が螺合する出入ねじ受けを固定したことを特徴とする真空遮断器の出入装置。
【請求項２】
前記出入ねじ受けに嵌合台を固定し、
前記操作機構部に前記嵌合台に嵌め込まれるインターロック棒を設けたことを特徴とする請求項１に記載の真空遮断器の出入装置。
【請求項３】
前記ハンドルを金属閉鎖形スイッチギヤの正面扉外から前記出入ねじ棒の端部に嵌め込むことを特徴とする請求項１または請求項２に記載の真空遮断器の出入装置。
【発明の詳細な説明】
【技術分野】
【０００１】
本発明の実施形態は、引出形の真空遮断器を金属閉鎖形スイッチギヤに出し入れする真空遮断器の出入装置に関する。
【背景技術】
【０００２】
従来、引出形の真空遮断器には、真空遮断器を移動させる出入装置が設けられ、金属閉鎖形スイチギヤの主回路に接続または断路させられるようになっている（例えば、特許文献１参照。）。
【０００３】
この種の出入装置は、図４、図５に示すように、真空遮断器部１ａと主回路ユニット部１ｂで構成されている。図４は、真空遮断器部１ａが主回路ユニット部１ｂから離れた断路位置、図５は、これらが接続された接続位置を示す。
【０００４】
真空遮断器部１ａには、ベース板２に操作機構部３が固定されている。操作機構部３には、真空バルブ４を用いた遮断部５が固定され、遮断部５に上部接触子６と下部接触子７が設けられている。ベース板２には、回転自在の車輪８が設けられている。また、出入ねじ棒９を回転自在に固定する固定架台１０が固定されている。出入ねじ棒９は、端部９ａとねじ部９ｂで構成され、端部９ａにハンドル１１の回転部を嵌め込み回転させることができる。
【０００５】
主回路ユニット部１ｂには、床板１２とこれに略直角に固定された仕切板１３が設けられている。仕切板１３には、上部接触子６と接離する上部主回路断路部１４と、下部接触子７と接離する下部主回路断路部１５が貫通固定されている。上部主回路断路部１４と下部主回路断路部１５の背面側には、金属閉鎖形スイッチギヤの主回路が接続される。床板１２には、出入ねじ棒９の軸方向に出入ねじ受け１６が固定されている。なお、主回路ユニット部１ｂを金属閉鎖形スイッチギヤに取付けると、出入ねじ棒９の端部９ａ近傍に一点鎖線で示す正面扉１７が位置する。
【０００６】
次に、真空遮断器部１ａの出入操作について説明する。図４の断路位置において、ハンドル１１を出入ねじ棒９の端部９ａに嵌め込み、出入ねじ棒９を回転させると、ねじ部９ｂが出入ねじ受け１６に螺合する。すると、真空遮断器部１ａは、床板１２上を図示右方向に移動し、接触子６、７がそれぞれ主回路断路部１４、１５に接触し、図５に示す接続位置にすることができる。なお、出入ねじ棒９を上記と逆に回転させると、断路位置にすることができる。
【先行技術文献】
【特許文献】
【０００７】
【特許文献１】特開平７−４６７２４号公報
【発明の概要】
【発明が解決しようとする課題】
【０００８】
真空遮断器部１ａを収納した金属閉鎖形スイッチギヤにおいては、正面扉１７を閉じた状態にて真空遮断器部１ａを移動させるものがある。この場合、正面扉１７外から貫通孔にハンドル１１を挿入し、端部９ａに嵌め込み、回転操作を行う。すると、真空遮断器部１ａの移動に伴って出入ねじ棒９の端部９ａも同様に移動する。断路位置から接続位置に移動させる場合では、端部９ａが正面扉１７から離れていくため、ハンドル１１に継ぎ手治具を連結するか、予め長尺のものなどを用いなくてはならず、操作性が劣る問題があった。
【０００９】
本発明は上記問題を解決するためになされたもので、正面扉外から真空遮断器部を移動させるための操作性を向上し得る真空遮断器の出入装置を提供することを目的とする。
【課題を解決するための手段】
【００１０】
上記目的を達成するために、実施形態の真空遮断器の出入装置は、主回路を開閉する遮断部と、前記遮断部を開閉操作する操作機構部と、前記操作機構部を固定したベース板とを有する真空遮断器部と、前記遮断部に設けた接触子が接離するとともに、仕切板に貫通固定された主回路断路部と、前記仕切板が固定されるとともに、前記ベース板が移動自在に移動する床板とを有する主回路ユニット部とで構成され、前記床板には、ハンドルを嵌め込む端部とねじ部とで構成される出入ねじ棒を回転自在に固定する固定架台を固定し、前記ベース板には、前記ねじ部が螺合する出入ねじ受けを固定したことを特徴とする。
【図面の簡単な説明】
【００１１】
【図１】本発明の実施例１に係る真空遮断器の出入装置の構成を示す側面図。
【図２】本発明の実施例１に係る真空遮断器の出入装置の操作を説明する図。
【図３】本発明の実施例２に係る真空遮断器の出入装置の構成を示す側面図。
【図４】従来の真空遮断器の出入装置の構成を示す側面図。
【図５】従来の真空遮断器の出入装置の操作を説明する図。
【発明を実施するための形態】
【００１２】
以下、図面を参照して本発明の実施例を説明する。
【実施例１】
【００１３】
先ず、本発明の実施例１に係る真空遮断器の出入装置を図１、図２を参照して説明する。図１は、本発明の実施例１に係る真空遮断器の出入装置の構成を示す側面図、図２は、本発明の実施例１に係る真空遮断器の出入装置の操作を説明する図である。なお、各図において、従来と同様の構成部分については、同一符号を付した。
【００１４】
図１、図２に示すように、真空遮断器の出入装置は、真空遮断器部１ａと主回路ユニット部１ｂで構成されている。図１は、真空遮断器部１ａが主回路ユニット部１ｂから離れた断路位置、図２は、これらが接続された接続位置を示す。
【００１５】
真空遮断器部１ａには、ベース板２に操作機構部３が固定されている。操作機構部３には、真空バルブ４を用いた遮断部５が固定され、この遮断部５に上部接触子６と下部接触子７が設けられている。ベース板２には、回転自在の車輪８が設けられている。また、出入ねじ棒９のねじ部９ｂが螺合する出入ねじ受け１６が図示右方向のベース板２端部に固定されている。出入ねじ棒９は、端部９ａと前記ねじ部９ｂで構成され、端部９ａにハンドル１１の回転部を嵌め込み回転させることができる。
【００１６】
主回路ユニット部１ｂには、床板１２とこれに略直角に固定された仕切板１３が設けられている。仕切板１３には、上部接触子６と接離する上部主回路断路部１４と、下部接触子７と接離する下部主回路断路部１５が貫通固定されている。上部主回路断路部１４と下部主回路断路部１５の背面側には、金属閉鎖形スイッチギヤの主回路が接続される。床板１２には、出入ねじ棒９を回転自在に固定する固定架台１０が固定されている。なお、主回路ユニット部１ｂを金属閉鎖形スイッチギヤに取付けると、出入ねじ棒９の端部９ａ近傍に一点鎖線で示す正面扉１７が位置する。
【００１７】
次に、真空遮断器部１ａの出入操作について説明する。図１の断路位置において、正面扉１７の貫通孔にハンドル１１を挿入し、端部９ａに嵌め込み、出入ねじ棒９を回転させると、ねじ部９ｂが出入ねじ受け１６内を回転する。すると、真空遮断器部１ａは、床板１２上を図示右方向に移動し、接触子６、７がそれぞれ主回路断路部１４、１５に接触し、図２に示す接続位置にすることができる。出入ねじ棒９を上記と逆に回転させると、図示左方向に移動し、断路位置にすることができる。
【００１８】
なお、組立においては、出入ねじ受け１６に出入ねじ棒９のねじ部９ｂを螺合させておき、端部９ａが固定架台１０を通り過ぎるまで一旦、真空遮断器部１ａを図示右方向に移動させる。そして、端部９ａが固定架台１０を貫通するように図示左方向に戻せば、図１の断路位置にすることができる。
【００１９】
これにより、真空遮断器部１ａを断路位置から接続位置にしても、出入ねじ棒９は同様の位置であり、端部９ａに嵌め込むハンドル１１に治具などを連結する必要がなくなる。このため、正面扉１７外から、容易に回転操作を行うことができ、操作性を向上させることができる。
【００２０】
上記実施例１の真空遮断器の出入装置によれば、主回路ユニット１ｂの床板２に出入ねじ棒９を回転自在に固定する固定架台１０を固定し、真空遮断器部１ａのベース板２に出入ねじ棒９のねじ部９ｂが螺合する出入ねじ受け１６を固定しているので、真空遮断器部１ａを移動させても出入ねじ棒９は移動せず、正面扉１７外からのハンドル１１の回転操作が容易となり、操作性を向上させることができる。
【実施例２】
【００２１】
次に、本発明の実施例２に係る真空遮断器の出入装置を図３を参照して説明する。図３は、本発明の実施例２に係る真空遮断器の出入装置の構成を示す側面図である。なお、この実施例２が実施例１と異なる点は、インターロック機構を設けたことである。図３において、実施例１と同様の構成部分においては、同一符号を付し、その詳細な説明を省略する。
【００２２】
図３に示すように、出入ねじ受け１６を操作機構部３側のベース板２に固定し、出入ねじ受け１６に嵌合台１８を固定している。また、嵌合台１８に嵌め込まれる移動自在のインターロック棒１９を操作機構部３に設けている。ベース板２の背面側先端には、出入ねじ棒９が長くなるので、固定架台１０と同様の固定架台２０を設けている。
【００２３】
真空遮断器部１ａを移動させるときには、インターロック棒１９を操作し、嵌合台１８に嵌め込み、出入ねじ棒９を回転させる。インターロック棒１９には、電気的、機械的なインターロックを連結することができる。
【００２４】
上記実施例２の真空遮断器の出入装置によれば、実施例１による効果のほかに、真空遮断器部１ａを移動させるときの誤操作を防止することができる。
【００２５】
以上述べたような実施形態によれば、真空遮断器を移動させるための出入装置を構成する出入ねじ棒を主回路ユニット側に回転自在に固定しているので、真空遮断器を移動させても出入ねじ棒が移動せず、正面扉外から容易に操作することができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、および変更を行うことができる。これら実施形態やその変形は、発明の範囲や要旨に含まれるとともに、特許請求の範囲に記載された発明とその均等の範囲に含まれる。
【符号の説明】
【００２７】
１ａ  真空遮断器部
１ｂ  主回路ユニット部
２  ベース板
３  操作機構部
４  真空バルブ
５  遮断部
６、７  接触子
８  車輪
９  出入ねじ棒
９ａ  端部
９ｂ  ねじ部
１０、２０  固定架台
１１  ハンドル
１２  床板
１３  仕切板
１４、１５  主回路断路部
１６  出入ねじ受け
１７  正面扉
１８  嵌合台
１９  インターロック棒
【図１】
2012130199.tif 000003
【図２】
2012130199.tif 000004
【図３】
2012130199.tif 000005
【図４】
2012130199.tif 000006
【図５】
2012130199.tif 000007